(57)【要約】【課題】クッション性を使用者の好みに応じて調節できるようにする。【解決手段】枕本体２の内部適所に空洞部３を設け、この空洞部３に嵌合保持して、枕本体２のクッション性を調節可能な調節素材４を複数備える。これら調節素材４は、反発性の相違する素材４ａ，４ｂを一対組み合わせて一体構成する。前記空洞部３は、枕本体２内部を断面長円の筒状にくり抜いて、枕本体２幅方向の一端側を開口して形成する。また前記空洞部３は、使用者の後頭部上部側に対応する箇所まで延在する形状とすることもできる。【選択図】　　　　　　　図２
2004129887.tif 000002
【特許請求の範囲】
【請求項１】
クッション性素材の枕本体で構成し、この枕本体の内部適所に空洞部を設け、この空洞部に嵌合保持して、枕本体のクッション性を調節可能な調節素材を複数備え、これら調節素材は、複数の異なる反発性の素材から、互いに反発性の相違する素材を一対組み合わせて一体構成したことを特徴とする枕装置。
【請求項２】
前記空洞部を枕本体幅方向の少なくとも一端面側を開口して前記調節素材を挿脱可能に構成したことを特徴とする請求項１記載の枕装置。
【請求項３】
前記空洞部は、断面長円状の形状としたことを特徴とする請求項１記載の枕装置。
【請求項４】
前記空洞部は、後頭部の上部側まで延在する形状としたことを特徴とする請求項１または２記載の枕装置。
【発明の詳細な説明】
【０００１】
【発明が属する技術分野】
本発明は、クッション性を使用者の好みに応じて調節できるようにした、枕装置に関するものである。
【０００２】
【従来の技術】
人間が就寝時、健常者でも病弱者でも、枕は大変重要であり、枕自体の固さは勿論、形状、支えたときの高さ寸法が使用者によって、千差万別であるのは周知のとおりである。
枕自体の高さが高すぎると、頚椎が極端に内側に曲がって、気道が圧迫され、息苦しくなったり、肩が凝ったりする。
一方、枕の高さが低すぎたり、柔らかすぎると、頭が沈み込んでしまい、大変寝心地が悪くなって、快適性が損なわれるおそれがある。また、高血圧症の患者には、不向きである。
【０００３】
そこで、最近、柔軟度を変更できるようにした枕が提案されている（実用新案登録第３０７７７６０号参照）。この枕では、ポリウレタン発泡体からなる枕本体と強化部材と枕カバーとからなり、枕本体中段部の底部に、スリットを有する横溝を形成して、この横溝に枕本体より硬い材質の強化部材を着脱して枕の柔軟度を変更するようにしている。
【０００４】
【発明が解決しようとする課題】
しかしながら、上記枕では、強化部材は円柱であり、枕本体の内部の一部を占めるに過ぎず、柔軟度の変更の効果が及ぶのは、強化部材を装着する横溝周囲近傍にとどまり、枕本体全体に、前記強化部材の材質の影響が反映されるものではないと考えられる。すなわち頭、後頭部を支える箇所の大部分には、強化部材による調整効果は及ばないものと思われる。
また、横溝におけるスリットは、横溝直下の枕本体底部にあるので、使用に際して上からの荷重によって、スリットが広がり、横溝が変形して強化部材が抜け落ちるおそれがある。
本発明はこのような課題を改善するために提案されたものであって、より好適にクッション性を使用者の好みに応じて調節でき、しかも調節素材が脱落しにくい構造とした、枕装置を提供することを目的とする。
【０００５】
【課題を解決するための手段】
上述した課題を解決するために、本発明では、請求項１において、クッション性素材の枕本体で構成し、この枕本体の内部適所に空洞部を設け、この空洞部に嵌合保持して、枕本体のクッション性を調節可能な調節素材を複数備え、これら調節素材は、複数の異なる反発性の素材から、互いに反発性の相違する素材を一対組み合わせて一体構成した枕装置を提案する。
また本発明では、請求項２において、前記空洞部を枕本体幅方向の少なくとも一端面側を開口して前記調節素材を挿脱可能に構成した枕装置を提案する。
また本発明では、請求項３において、前記空洞部は、断面長円状の形状とした枕装置を提案する。
さらに本発明では、請求項４において、前記空洞部は、後頭部の上部側まで延在する形状とした枕装置を提案する。
【０００６】
請求項１によれば、枕本体の空洞部に、異なる反発性の素材を接合構成した調節素材を、好みに応じていずれかの素材側が上に向くように入れ方を変えて嵌合保持する。これにより、枕本体の空洞部を形成した外面は、空洞部に保持した調節素材の反発特性が反映され、全体のクッション性を使用者の好みに対応させることができる。
【０００７】
請求項２によれば、枕本体の内部適所における空洞部に、枕本体幅方向端面の開口側から、種々の異なる反発性の素材の組合せの調節素材から適宜選び出した調節素材を押し込んで嵌合保持して、全体のクッション性を使用者の好みに対応させることができる。
【０００８】
請求項３によれば、調節素材は断面を長円形状としたことで、空洞部内で回動してずれるようなことはなく、保持しやすい。
【０００９】
請求項４によれば、空洞部を後頭部上部側に対応する箇所まで延在させれば、クッション性を一層、所望のものに調節することができる。
【００１０】
【発明の実施の態様】
以下、本発明にかかる枕装置につき、一つの実施の態様を挙げ、添付の図面に基づいて説明する。
図１に示す枕装置１は、クッション性素材の枕本体２で構成し、この枕本体２の内部適所に空洞部３を設け、この空洞部３に嵌合保持して、枕本体２のクッション性を調節可能な調節素材４を複数備えている。
これら調節素材４は、図２に示すように複数の異なる反発性の素材から、互いに反発性の相違する素材４ａ，４ｂを一対組み合わせて一体構成している。
なお、前記枕本体２は、図示は省略するが、取り外し可能なカバー部材で覆っている。
【００１１】
前記枕本体２は、周知のクッション性素材を使用し、外形が、図中、左右方向右側寄りの箇所を肉厚として、かかる右側寄りの箇所の内部には、前記空洞部３を形成している。なお、この右側寄りの箇所は、使用者の後頭部から首にかけての箇所を支えるようにしている。
【００１２】
前記空洞部３は、枕本体２内部を断面長円の筒状にくり抜いて構成したもので、枕本体２幅方向（図中、左右方向と直交する方向）の一端側を開口して形成している。勿論、空洞部３は枕本体２幅方向両端側を開口してもよい。
なお、前記空洞部３は円筒状にくり抜いて構成することもできる。
また前記空洞部３は、使用者の後頭部上部側に対応する箇所まで延在する形状とすることもできる（図中、一点鎖線）。
【００１３】
そして前記調節素材４は、前記空洞部３に嵌合可能な筒状部材とし、調節素材４を構成する、それぞれの素材４ａ，４ｂは、半筒状の形状で、平らな面同士を適宜な手段により一体的に接合している。この場合、調節素材４は、前記異なる反発性の素材４ａ，４ｂとして、周知の複数の反発性の素材から、異なる組み合わせで一体接合したものを複数備えている。
【００１４】
以上のように構成される枕装置１において、枕本体２の内部適所における空洞部３に、枕本体２幅方向端面の開口側から、種々の異なる反発性の素材４ａ，４ｂの組合せの調節素材４から適宜選び出した調節素材４を押し込んで嵌合保持して、全体のクッション性を使用者の好みに対応させることができる。すなわち、異なる反発性の素材４ａ，４ｂを接合構成した調節素材４を、好みに応じていずれかの素材側が上に向くように嵌合保持する。空洞部３は、断面長円の筒状にくり抜いて構成しているので、調節素材４は空洞部３内でずれることなく保持することができる。
これにより、枕本体２の空洞部３を形成した上面は、空洞部２に保持した調節素材４のうち、上に向けた素材の反発特性が反映され、全体のクッション性を使用者の好みに対応させることができる。
【００１５】
枕本体２の内部適所における空洞部３に調節素材４をいれる際、枕本体２幅方向端面の開口面を、枕本体２のクッション性に抗して拡開させて、空洞部３内に調節素材４を装入しやすくすることができる（図２参照）。
そして、もしクッション性が合わないときは、一旦、空洞部３内から前記調節素材４を、枕本体２幅方向端面の開口側から抜き出して、もう片方の素材が上に向くように押し込んで嵌合保持する。
さらに、クッション性が合わない場合は、別の組み合わせの調節素材４を選択し、異なる反発性の素材４ａ，４ｂのうち、いずれかの素材が上に向くように押し込んで嵌合保持する。
【００１６】
かかる枕本体２に、使用者は、厚さ寸法の大きい、すなわち空洞部３を形成した外面に、使用者の後頭部から首にかけての箇所を乗せて使用することができる。この時、枕本体２は、頭からの荷重によって、空洞部３は、図中、二点鎖線で示すように変形する（図１参照）。
ここで、枕本体２の空洞部３を形成した上面側は、空洞部３に保持した調節素材４のうち、上に向けた素材の反発特性が反映されているので、使用者が後頭部から首にかけての箇所を乗せることで、枕本体２は沈み込み変形し、使用者好みの反発性で前記後頭部から首にかけての箇所を支えることができる。
なお、前記調節素材４は、開口した空洞部３の枕本体２幅方向端面側から、引き出されない限り、空洞部３から脱落することなく保持される。
【００１７】
また、前記空洞部３を、図１中、一点鎖線で示すように使用者の後頭部上部側に対応する箇所まで延在する形状としたものにあっては、ほぼ後頭部が乗る枕本体２の上外面が、空洞部３に保持した調節素材４のうち、上に向けた素材の反発特性の影響を受け、枕本体２を一層、望み通りのクッション性に調節することができる。
【００１８】
【発明の効果】
以上の通り、本発明によれば、
１．枕本体の空洞部に、異なる反発性の素材を接合構成した調節素材を、好みに応じていずれかの素材側が上に向くように入れ方を変えて嵌合保持する。これにより、枕本体の空洞部を形成した外面は、空洞部に保持した調節素材の反発特性が反映され、全体のクッション性を使用者の好みに対応させることができる。
２．枕本体の内部適所における空洞部に、枕本体幅方向端面の開口側から、種々の異なる反発性の素材の組合せの調節素材から適宜選び出した調節素材を押し込んで嵌合保持して、全体のクッション性を使用者の好みに対応させることができる。
３．調節素材は断面を長円形状としたことで、空洞部内で回動してずれるようなことはなく、保持しやすい。
４．空洞部を後頭部上部側に対応する箇所まで延在させれば、クッション性を一層、所望のものに調節することができる。
【００１９】
【図面の簡単な説明】
【図１】本発明にかかる枕装置の一つの実施の形態を示す断面説明図である。
【図２】図１に示す枕装置の全体構成を示す、斜視説明図である。
【符号の説明】
１　　　　　　　　　　　　　　枕装置
２　　　　　　　　　　　　　　枕本体
３　　　　　　　　　　　　　　空洞部
４　　　　　　　　　　　　　　調節素材
４ａ，４ｂ　　　　　　　　　　素材
【図１】
2004129887.tif 000003
【図２】
2004129887.tif 000004